(57)【要約】      （修正有）【課題】複数台のプリンタがネットワーク上に存在する場合でも、無線通信の相手先である特定のプリンタを指定して、無線通信を確立できる画像データ転送システムを提供する。【解決手段】画像データ転送システムは、ローカルエリアネットワーク１３に接続されているプリンタ１２とデジタルカメラ１１とからなる。デジタルカメラはプリンタに向けて無線ブロードキャストする手段を備え、プリンタはブロードキャストに応答して自己のＩＰアドレスを応答する無線応答手段を備る。デジタルカメラは更にプリンタからのＩＰアドレスを取得する手段を備え、取得したＩＰアドレスに対応するプリンタを表示する。表示されているプリンタから選択選択されたプリンタに向けてＵＤＰユニキャストパケットデータを無線送信する。プリンタはそのパケットデータを受信すると接続開始要求をデジタルカメラに向けて無線送信し、デジタルカメラとの間の無線接続を確立する。【選択図】図４
2007049271.tif 000002
【特許請求の範囲】
【請求項１】
ネットワークに接続されているプリンタと、該プリンタに向けて撮影画像データを転送する情報端末装置とからなり、
該情報端末装置は前記プリンタに向けてブロードキャストする無線ブロードキャスト手段を備え、前記プリンタは前記無線ブロードキャストに応答して少なくとも自己のＩＰアドレスを応答する無線応答手段を備え、
前記情報端末装置は更に前記プリンタの応答を受信してＩＰアドレスを取得するＩＰアドレス取得手段と、該ＩＰアドレス取得手段により取得されたＩＰアドレスに対応するプリンタを表示する表示手段と、該表示手段により表示されているプリンタを選択することにより選択されたプリンタに向けてユニキャストパケットデータを無線送信する無線送信手段とを備え、
前記プリンタは更に前記ユニキャストパケットデータを受信して接続開始要求を前記情報端末装置に向けて無線送信する接続開始要求無線送信手段と、該接続開始要求に対する前記情報端末装置からの応答に基づいて無線接続を確立する無線接続確立手段とを備え、無線接続の確立後に情報端末装置からの撮影画像データを指定されたプリンタに転送して、撮影画像をプリントアウトさせることを特徴とする画像転送システム。
【請求項２】
前記無線ブロードキャスト手段と前記無線応答手段とがBluetooth(R)手段であり、前記プリンタのBluetooth(R)のフォーマットの空き領域には該プリンタのＩＰアドレスが書き込まれ、前記無線ブロードキャスト手段は前記プリンタのＩＰアドレスを取得するＩＰアドレス取得手段として機能することを特徴とする請求項１に記載の画像転送システム。
【請求項３】
前記無線ブロードキャスト手段と前記無線応答手段とが赤外線無線送受信手段であり、該赤外線無線送受信手段が前記プリンタのＩＰアドレスを取得するＩＰアドレス取得手段として機能することを特徴とする請求項１記載の画像転送システム。
【請求項４】
前記表示手段には、前記プリンタのＩＰアドレスが表示されることを特徴とする請求項２又は請求項３に記載の画像転送システム。
【請求項５】
前記Bluetooth(R)のフォーマットの空き領域には、前記プリンタの性能が書き込まれ、前記表示手段は前記プリンタの性能を表示することを特徴とする請求項２に記載の画像転送システム。
【請求項６】
ネットワークに接続されている複数個のプリンタと、該各プリンタのＩＰアドレスが登録されかつローカルエリアネットワークに接続されているサーバと該プリンタに向けて撮影画像データを転送する情報端末装置とからなり、
該情報端末装置は前記サーバのＩＰアドレスを登録する登録手段と前記サーバに向けて前記プリンタのＩＰアドレスを要求する無線送信手段とを備え、
前記サーバは前記情報端末装置の要求に応答して前記プリンタのＩＰアドレスを前記情報端末装置に無線送信する無線送信手段を備え、
前記情報端末装置は更に前記プリンタの応答を受信してＩＰアドレスを取得するＩＰアドレス取得手段と、該ＩＰアドレス取得手段により取得されたＩＰアドレスに対応するプリンタを表示する表示手段と、該表示手段により表示されているプリンタを選択することにより選択されたプリンタに向けてユニキャストパケットデータを無線送信する無線送信手段とを備え、
前記プリンタは前記ユニキャストパケットデータを受信して接続開始要求を前記情報端末装置に向けて無線送信する接続開始要求無線送信手段と、該接続開始要求に対する前記情報端末装置からの応答に基づいて無線接続を確立する無線接続確立手段とを備え、無線接続の確立後に情報端末装置からの撮影画像データを指定されたプリンタに転送して、撮影画像をプリントアウトさせることを特徴とする。
【請求項７】
前記サーバは単一であり、前記デジタルカメラは前記ネットワークにユニキャストパケットデータを送信して前記各プリンタのＩＰアドレスを取得することを特徴とする請求項６に記載の画像転送システム。
【請求項８】
前記サーバは複数個であり、前記デジタルカメラは前記ネットワークにブロードキャストして各サーバのＩＰアドレスを取得し、特定のサーバにユニキャストパケットデータを送信してその特定のサーバに登録保存されている前記各プリンタのＩＰアドレスを取得することを特徴とする請求項６に記載の画像転送システム。
【請求項９】
前記サーバはネットワークに接続されている複数個のプリンタのＩＰアドレスをＵＰｎＰ手段により取得することを特徴とする請求項６に記載の画像転送システム。
【発明の詳細な説明】
【技術分野】
【０００１】
本発明は、デジタルカメラ等の情報端末装置に記録保存されている画像情報をパーソナルコンピュータを介在させずに直接プリンタに転送してプリントアウトさせることのできる画像転送システムに関し、より詳しくは、その情報端末装置とプリンタとをＵＳＢケーブルを用いて接続しなくとも情報端末装置からの画像情報をプリンタに転送してプリントアウトさせることのできる画像転送システムの改良に関する。
【背景技術】
【０００２】
従来から、デジタルカメラの画像転送システムとして、ネットワークを介してデジタルカメラとパーソナルコンピュータとを接続し、撮影画像の転送を行う画像転送システムが知られている（例えば、特許文献１参照。）。
【０００３】
また、ローカルエリアネットワーク（ＬＡＮ）にケーブル接続されている機器に同じくローカルエリアネットワーク（ＬＡＮ）にケーブル接続されたデジタルカメラから問い合わせデータをブロードキャストし、ＬＡＮに接続されている機器から問い合わせデータに対する応答データを受信してその応答データを送信した機器のＩＰアドレスを抽出し、この抽出したＩＰアドレスを有する機器に撮影画像を転送する画像転送システムも知られている（例えば、特許文献２参照。）。
【０００４】
更に、デジタルカメラとプリンタとに赤外線通信装置を設け、デジタルカメラの撮影画像を赤外通信装置を用いて直接プリンタに転送し、その撮影画像をプリントアウトさせるようにした画像転送システムも知られている（例えば、特許文献３参照。）。
【０００５】
更には、デジタルカメラとネットワーク上のプリンタとを無線接続し、通信を確立してデジタルカメラの撮影画像情報をプリンタに転送して撮影画像情報をプリントアウトさせることのできる画像転送システムも知られている（例えば、特許文献４参照。）。
【０００６】
このものでは、パーソナルコンピュータを用いなくとも直接デジタルカメラの撮影画像情報をプリンタに伝送してプリントアウトさせることができ、しかも、煩雑な設定操作を行わなくとも無線通信の相手先との間で無線通信を確立できるという長所がある。
【特許文献１】特開２００３−２７４２７４号公報
【特許文献２】特開２００４−１５９２８１号公報
【特許文献３】特開２００４−９６７６１号公報
【特許文献４】特開２００４−３２８２６９号公報
【発明の開示】
【発明が解決しようとする課題】
【０００７】
ところで、ローカルエリアネットワーク（ＬＡＮ）にケーブル接続されているプリンタには、ＰＴＰ−ＩＰ（ "Picture Transfer Protocol" over TCP/IP networks）対応の無線通信可能なものがある。このＰＴＰ−ＩＰ対応のプリンタでは、接続の開始がプリンタ側からのみ可能な構成となっており、撮影画像データの送り元のデジタルカメラから撮影画像データを送り先のプリンタに転送する場合、送り元のデジタルカメラの側から接続開始要求を出すことができず、送り先のプリンタから接続開始要求を送り元のデジタルカメラに送信して通信を確立するために以下に説明する手順を踏む構成となっている。
【０００８】
すなわち、図１、図２に示すように、撮影画像データの送り元であるデジタルカメラ１の側からＵＤＰユニキャストパケットデータをＬＡＮケーブル３に接続されているプリンタ２に送信し、プリンタ２がこのＵＤＰユニキャストパケットデータを受信し、プリンタ２から接続開始要求（InitCmdReq）をデジタルカメラ１に向けて送信し、デジタルカメラ１はこの接続開始要求（InitCmdReq）を受信して接続開始応答（InitCmdAck）をプリンタ２に向けて送信し、プリンタ２はその接続開始応答（InitCmdAck）を受信して、接続開始イベント要求（InitEvtReq）をデジタルカメラ１に向けて送信し、デジタルカメラ１は接続開始イベント要求（InitEvtReq）を受信して、接続開始イベント応答（InitEvtAck）をプリンタ２に向けて送信し、プリンタ２がこの接続開始イベント応答を受信することによりＰＴＰ−ＩＰ接続が確立され（PTP-IP Connection Establischment）、以後、デジタルカメラ１からプリンタ２に向けて撮影画像データのデータ転送が行われる。
【０００９】
ところが、図３に示すように、ＰＴＰ−ＩＰ対応の多数のプリンタ２がネットワーク上に存在するとき、撮影画像データの送り元であるデジタルカメラ１の側からＵＤＰユニキャストパケットデータをＬＡＮケーブルに接続されているプリンタ２に送信すると、複数個のプリンタ２がほぼ同時にこのＵＤＰユニキャストパケットデータを受信し、複数個のプリンタ２から接続開始要求（InitCmdReq）がデジタルカメラ１に向けて送信され、デジタルカメラ１がこれらの接続開始要求（InitCmdReq）を受信したときに、混乱を起こすことが危惧される。
【００１０】
この混乱を避けるためには、撮影画像の送り先であるローカルエリアネットワーク３上のプリンタ２のＩＰアドレスを知る必要があるが、例えば、何台もあるＰＴＰ−ＩＰ対応のプリンタ２のうち、ユーザの目の前に存在するプリンタ２にデジタルカメラ１の撮影画像を転送してプリントアウトする場合を想定したとき、その目の前に存在する特定のプリンタ２のＩＰアドレスを知っているとは限らないため、例えばそのネットワーク３を管理しているネットワーク管理者にその目の前に存在している特定のプリンタ２のＩＰアドレスを教えてもらって送り元のデジタルカメラ１にその目の前に存在する送り先のプリンタ２のＩＰアドレスを入力して登録することが考えられる。
【００１１】
しかしながら、このような手順を経なければ、撮影画像を特定のプリンタ２に転送してプリントアウトできないとすると、例えば、ネットワーク管理者がたまたまその場にいなかったりする場合に画像データを転送してプリントアウトしたいときにプリントアウトできず、極めて不便である。
【００１２】
本発明は、上記の事情に鑑みて為されたもので、ＰＴＰ−ＩＰ対応の複数個のプリンタがネットワーク上に存在する場合、煩雑な設定操作を行わなくとも無線通信の相手先である特定のプリンタを指定して、このプリンタとの間に無線通信を確立できる画像データ転送システムを提供することを目的とする。
【００１３】
本発明の他の目的は、相手先のプリンタのＩＰアドレスを簡便に取得できる画像データ転送システムを提供することを目的とする。
【００１４】
本発明の更なる目的は、相手先のプリンタの性能等をも簡便に取得できる画像データ転送システムを提供することを目的とする。
【課題を解決するための手段】
【００１５】
本発明の請求項１に記載の画像データ転送システムは、ローカルエリアネットワークに接続されているＰＴＰ−ＩＰ対応のプリンタと該プリンタに向けて撮影画像データを転送するＰＴＰ−ＩＰ対応の情報端末装置とからなり、該情報端末装置は前記プリンタに向けてＵＤＰブロードキャストする無線ブロードキャスト手段を備え、前記プリンタは前記無線ブロードキャストに応答して少なくとも自己のＩＰアドレスを応答する無線応答手段を備え、前記情報端末装置は更に前記プリンタの応答を受信してＩＰアドレスを取得するＩＰアドレス取得手段と、該ＩＰアドレス取得手段により取得されたＩＰアドレスに対応するプリンタを表示する表示手段と、該表示手段により表示されているプリンタを選択することにより選択されたプリンタに向けてＵＤＰユニキャストパケットデータを無線送信する無線送信手段とを備え、前記プリンタは更に前記ＵＤＰユニキャストパケットデータを受信して接続開始要求を前記情報端末装置に向けて無線送信する接続開始要求無線送信手段と、該接続開始要求に対する前記情報端末装置からの応答に基づいて無線接続を確立する無線接続確立手段とを備え、無線接続の確立後に情報端末装置からの撮影画像データを指定されたプリンタに転送して、撮影画像をプリントアウトさせることを特徴とする。
【００１６】
本発明の請求項２に記載の画像データ転送システムは、前記無線ブロードキャスト手段と前記無線応答手段とがBluetooth(R)手段であり、前記プリンタのBluetooth(R)のフォーマットの空き領域には該プリンタのＩＰアドレスが書き込まれ、前記無線ブロードキャスト手段は前記プリンタのＩＰアドレスを取得するＩＰアドレス取得手段として機能することを特徴とする。
【００１７】
本発明の請求項３に記載の画像伝送システムは、前記無線ブロードキャスト手段と前記無線応答手段とが赤外線無線送受信手段であり、該赤外線無線送受信手段が前記プリンタのＩＰアドレスを取得するＩＰアドレス取得手段として機能することを特徴とする。
【００１８】
本発明の請求項４に記載の画像転送システムは、前記表示手段には前記プリンタのＩＰアドレスが表示されることを特徴とする。
【００１９】
本発明の請求項５に記載の画像転送システムは、前記Bluetooth(R)のフォーマットの空き領域には、前記プリンタの性能が書き込まれ、前記表示手段は前記プリンタの性能を表示することを特徴とする。
【００２０】
本発明の請求項６に記載の画像データ転送システムは、ローカルエリアネットワークに接続されている複数個のＰＴＰ−ＩＰ対応のプリンタと該各プリンタのＩＰアドレスが登録されかつローカルエリアネットワークに接続されているサーバと該プリンタに向けて撮影画像データを転送するＰＴＰ−ＩＰ対応の情報端末装置とからなり、該情報端末装置は前記サーバのＩＰアドレスを登録する登録手段と前記サーバに向けて前記プリンタのＩＰアドレスを要求する無線送信手段とを備え、前記サーバは前記情報端末装置の要求に応答して前記プリンタのＩＰアドレスを前記情報端末装置に無線送信する無線送信手段を備え、前記情報端末装置は更に前記プリンタの応答を受信してＩＰアドレスを取得するＩＰアドレス取得手段と、該ＩＰアドレス取得手段により取得されたＩＰアドレスに対応するプリンタを表示する表示手段と、該表示手段により表示されているプリンタを選択することにより選択されたプリンタに向けてＵＤＰユニキャストパケットデータを無線送信する無線送信手段とを備え、前記プリンタは前記ＵＤＰユニキャストパケットデータを受信して接続開始要求を前記情報端末装置に向けて無線送信する接続開始要求無線送信手段と、該接続開始要求に対する前記情報端末装置からの応答に基づいて無線接続を確立する無線接続確立手段とを備え、無線接続の確立後に情報端末装置からの撮影画像データを指定されたプリンタに転送して、撮影画像をプリントアウトさせることを特徴とする。
【００２１】
請求項７に記載の画像転送システムは、前記サーバは単一であり、前記デジタルカメラは前記サーバにＵＤＰユニキャストパケットデータを送信して前記各プリンタのＩＰアドレスを取得することを特徴とする。
【００２２】
請求項８に記載の画像転送システムは、前記サーバは複数個であり、前記デジタルカメラは前記サーバにブロードキャストして各サーバのＩＰアドレスを取得し、特定のサーバにＵＤＰユニキャストパケットデータを送信してその特定のサーバに登録保存されている前記各プリンタのＩＰアドレスを取得することを特徴とする。
【００２３】
請求項９に記載の画像転送システムは、前記サーバはローカルエリアネットワークに接続されている複数個のＰＴＰ−ＩＰ対応のプリンタのＩＰアドレスをＵＰｎＰ手段により取得することを特徴とする。
【発明の効果】
【００２４】
請求項１に記載の発明によれば、ＰＴＰ−ＩＰ対応の複数個のプリンタがネットワーク上に存在する場合、煩雑な設定操作を行わなくとも無線通信の相手先である特定のプリンタを指定して、このプリンタとの間に無線通信を確立できる画像データ転送システムを提供できる。
【００２５】
請求項２に記載の発明によれば、ＰＴＰ−ＩＰ対応の多数個のプリンタがネットワーク上に存在する場合でも、自己の周囲に存在するプリンタに限定してそのプリンタのＩＰアドレスを取得できる。
【００２６】
請求項３に記載の発明によれば、ＰＴＰ−ＩＰ対応の多数個のプリンタがネットワーク上に存在する場合でも、特定のプリンタに限定してそのプリンタのＩＰアドレスを取得できる。
【００２７】
請求項４に記載の発明によれば、プリンタのＩＰアドレスが表示手段に表示されるので、パーソナルコンピュータを用いて逐一調べなくとも知ることができ、ローカルエリアネットワーク管理者等にとって便利である。
【００２８】
請求項５に記載の発明によれば、プリンタの性能が表示されるので、撮影画像をプリントアウトしたいプリンタの選択を簡便に行うことができる。
【００２９】
請求項６ないし請求項９に記載の発明によれば、請求項１に記載の発明と同様に、ＰＴＰ−ＩＰ対応の複数個のプリンタがネットワーク上に存在する場合、煩雑な設定操作を行わなくとも無線通信の相手先である特定のプリンタを指定して、このプリンタとの間に無線通信を確立できる画像データ転送システムを提供できる。
【発明を実施するための最良の形態】
【００３０】
以下に、本発明に係わる画像転送システムの発明の実施の形態を図面を参照しつつ説明する。
【実施例】
【００３１】
（実施例１）
図４は本発明に係わる画像転送システムの全体構成を示す説明図である。その図４において、１１は携帯情報端末装置としてのＰＴＰ−ＩＰ対応のデジタルカメラ、１２はＰＴＰ−ＩＰ対応のプリンタ、１３はローカルエリアネットワークである。
【００３２】
ここで、ＰＴＰ（Picture Transfer Protocol）とは画像データの転送を目的とするプロトコルであり、公知の通信規約である。ＰＴＰ仕様では、物理層は特に規定されていない。デジタルカメラとプリンタ間でダイレクトにプリントアウトすることが可能な”Pict Bridge”においてＰＴＰが使用されている。”Pict Bridge”では、機器間はＵＳＢケーブルを用いたＵＳＢで接続される。
【００３３】
ＰＴＰ−ＩＰ（”Picture Transfer Protocol ”over TCP/IP networks ）とは、Ethernetや無線ＬＡＮ等のＴＣＰ／ＩＰのネットワーク上で画像データの転送を可能とするプロトコルである。
【００３４】
デジタルカメラ１１は、図５に示すように、ＣＰＵ２０１、ＲＯＭ２０２、ＳＤＲＡＭ２０５、フラッシュメモリ２０６、ネットワーク回路２０８、Bluetooth(R)回路２０９、ＩｒＤＡ回路２１０、デジタルカメラのユーザインターフェース２１１、残余のデジタルカメラ機能部２２０を有する。ＲＯＭ２０２は処理部２０３、２０４を有し、フラッシュメモリ２０６はプリンタ情報保存部２０７を有する。
【００３５】
プリンタ１２は、図６に示すように、ＣＰＵ３０１、ＲＯＭ３０２、ＳＤＲＡＭ３０５、フラッシュメモリ３０６、ネットワーク回路３０８、Bluetooth(R)回路３０９、ＩｒＤＡ回路３１０、プリンタのユーザインターフェース３１１、残余のプリンタ機能部３２０を有する。ＲＯＭ３０２は処理部３０３、３０４を有する。
【００３６】
デジタルカメラ１１はローカルエリアネットワーク１３に有線接続、無線ＬＡＮ接続可能であるが、ここでは、無線ＬＡＮ接続されるものとして説明する。また、そのデジタルカメラ１１は、ここでは、基地局（アクセスポイント）を必要とするインフラストラクチャーモードで動作するものとして説明するが、プリンタ１２と直接パケットデータの情報の授受を行うアドホックモードで動作するものとしても良い。
【００３７】
なお、いずれの動作モードの場合にも、デジタルカメラ１１にはＬＡＮ３上で動作させる際にＩＰアドレスが必要である。
【００３８】
Bluetooth(R)回路２０９、３０９はBluetooth(R)規格に準拠した通信方式で無線の送受信を行うことが可能であり、図７はそのBluetooth(R)規格に準拠した通信方式で無線の送受信の概念図を示し、その送受信範囲はデジタルカメラ１１を中心として半径約１０ｍの範囲である。
【００３９】
ＩｒＤＡ回路２１０、３１０はＩｒＤＡ規格に準拠した通信方式で無線送受信を行う赤外線通信回路であり、図８はその概念図である。
【００４０】
この発明に係わるデジタルカメラ１１、プリンタ１２は、ＰＴＰ−ＩＰに準拠してデジタルカメラ１１により撮影した画像データをプリンタに無線送信可能とされている。
【００４１】
その無線通信プロトコルは、図９に示す層構成とされ、プリンタ１２の側からのみ接続開始要求がデジタルカメラ１１に向かって送信される構造となっている。
【００４２】
デジタルカメラ１１に保存されている撮影画像を印刷処理（プリントアウト）したい場合には、所定の操作を行うと、デジタルカメラ１１のＬＣＤモニタ（表示部）１１Ａに印刷処理画面が表示される（図１０のＳ．１）。ついで、ＬＣＤモニタ１１Ａに相手先のプリンタ情報があるかないかの問い合わせ画面が表示される（図１０のＳ．２）。その問い合わせ画面の一例が図１１Ａに示されている。
【００４３】
その問い合わせ画面で、「ＯＫ」ボタンを操作すると、プリンタ情報取得処理に移行する（図１０のＳ．３）。プリンタ情報取得処理とは、プリンタのＩＰアドレスを取得する処理をいう。プリンタ情報取得処理では、検索手段を表示する検索手段表示画面がＬＣＤモニタ１１Ａに表示される（図１１ＢのＳ．３１）。
【００４４】
そのＬＣＤモニタ１１Ａには「ＵＰｎＰ使用」、「Bluetooth(R)使用」、「ＩｒＤＡ使用」の文字が表示される。ユーザーが「ＵＰｎＰ使用」の文字を選択して、「ＯＫ」ボタンを操作すると「ＵＰｎＰ使用」による検索処理が実行され（図１１ＢのＳ．３２）、「Bluetooth(R)使用」の文字を選択して、「ＯＫ」ボタンを操作すると「Bluetooth(R)使用」の検索処理が実行され（図１１ＢのＳ．３３）、「ＩｒＤＡ使用」の文字を選択して、「ＯＫ」ボタンを操作すると「ＩｒＤＡ使用」の検索処理が実行される（図１１のＳ．３４）。プリンタの情報取得処理が終了すると（図１１ＢのＳ．３５）、プリンタ情報選択処理に移行する（図１０のＳ４）。
【００４５】
そのプリンタ情報選択処理では、例えば、図１２に示すように、ＬＣＤモニタ１１ＡにＰＴＰ−ＩＰ対応のプリンタ名、そのＩＰアドレス、性能等が表示される。ユーザがこのＬＣＤモニタ１１Ａの表示画面を見て特定のレーザプリンタ、例えば、レーザプリンタＰ１を選択して、「ＯＫ」ボタンを操作すると、その特定のプリンタへ撮影画像が転送されて、デジタルカメラ１１により撮影された画像がその特定のプリンタ１２からプリントアウトされる（Ｓ．５）。
【００４６】
以下、その検索処理の詳細について説明する。
（ＵＰｎＰ使用によるＰＴＰ−ＩＰ対応プリンタの検索処理）
デジタルカメラ１１は、図１３に示すように各プリンタに向けてＵＤＰブロードキャスト（ＵＰｎＰブロードキャスト）する。なお、ＵＰｎＰとは、ＰｎＰ（Plug and Play）の概念をネットワークに拡張した概念であり、ＵＰｎＰそれ自体は公知である。
【００４７】
プリンタ１２は無線ブロードキャストに応答して少なくとも自己のＩＰアドレスを応答する。ここでは、自己のＩＰアドレスに加えてプリンタ名、性能等を含めて応答する。デジタルカメラ１１はプリンタ１２の応答を受信してＩＰアドレス等を取得して、この取得したＩＰアドレス等をフラッシュメモリ２０６のプリンタ情報保存部２０７に保存する。その取得された各プリンタ１２のＩＰアドレス等は既述したように図１２に示す表示手段としてのＬＣＤモニタ１１Ａに表示される。
【００４８】
ユーザがＬＣＤモニタ１１Ａに表示されている各プリンタＰ１〜Ｐ３のうち特定のプリンタＰ１を選択して、「ＯＫ」ボタンを操作すると、選択されたプリンタＰ１に向けてＵＤＰユニキャストパケットデータが無線送信される。
【００４９】
プリンタＰ１はＵＤＰユニキャストパケットデータを受信して、接続開始要求をデジタルカメラ１１に向けて無線送信する。デジタルカメラ１１はこのプリンタＰ１の接続開始要求を受信してプリンタＰ１に向けて応答し、これにより無線接続が確立され、この無線接続の確立によりデジタルカメラ１１から撮影画像データがプリンタＰ１に転送され、プリンタＰ１は撮影画像のダイレクトプリントアウトを実行する。
【００５０】
すなわち、ＣＰＵ２０１、ＳＤＲＡＭ２０５、フラッシュメモリ２０６、ネットワーク回路２０８、ユーザインターフェース２１１、処理部２０３、２０４は、総合して、プリンタ１２に向けてＵＤＰブロードキャストする無線ブロードキャスト手段と、プリンタ１２の応答を受信してＩＰアドレスを取得するＩＰアドレス取得手段と、表示手段により表示されているプリンタを選択することにより選択されたプリンタに向けてＵＤＰユニキャストパケットデータを無線送信する無線送信手段として機能し、ＬＣＤモニタ１１ＡはＩＰアドレス取得手段により取得されたＩＰアドレスに対応するプリンタを表示する表示手段として機能する。
【００５１】
ＣＰＵ３０１、ＳＤＲＡＭ３０５、フラッシュメモリ３０６、ネットワーク回路３０８、処理部３０３、３０４は、無線ブロードキャストに応答して少なくとも自己のＩＰアドレスを応答する無線応答手段と、ＵＤＰユニキャストパケットデータを受信して接続開始要求をデジタルカメラ１１に向けて無線送信する接続開始要求無線送信手段と、接続開始要求に対するデジタルカメラ１１からの応答に基づいて無線接続を確立する無線接続確立手段として機能する。
（Bluetooth(R)使用によるＰＴＰＩＰ対応プリンタの検索処理）
Bluetooth(R)検索処理を選択すると、図１４に示すように、デジタルカメラ１１に物理的に近いデバイス装置としてのプリンタ１２の検索処理が実行される（Ｓ．１１）。検索の結果、デジタルカメラ１１の近傍に存在するプリンタ１２のプリンタ名の取得処理が実行される（Ｓ．１２）。ついで、Bluetooth(R)のサービスディスカバリプロトコル（ＳＤＰ）を用いてプリンタ１２のＩＰアドレスを取得する（Ｓ．１３）。
【００５２】
なお、そのＩＰアドレスを取得するために、プリンタ１２の側のサービスディスカバリプロトコルのベンダー領域（製造会社が自由に使用できるBluetooth(R)のフォーマットの空き領域）に予めそのプリンタ１２のＩＰアドレスを書き込んで置く。
【００５３】
これにより、デジタルカメラ１１はプリンタ１２のＩＰアドレスを取得できる。以後、  ユーザがＬＣＤモニタ１１Ａに表示されている各プリンタＰ１〜Ｐ３のうち特定のプリンタＰ１を選択して、「ＯＫ」ボタンを操作すると、選択されたプリンタＰ１に向けてＵＤＰユニキャストパケットデータが無線送信される。
【００５４】
プリンタＰ１はＵＤＰユニキャストパケットデータを受信して、接続開始要求をデジタルカメラ１１に向けて無線送信する。デジタルカメラ１１はこのプリンタＰ１の接続開始要求を受信してプリンタＰ１に向けて応答し、これにより無線接続が確立され、この無線接続の確立によりデジタルカメラ１１から撮影画像データがプリンタＰ１に転送され、プリンタＰ１は撮影画像のプリントアウトを実行する。
【００５５】
ここでは、図１２に示す形態で、レーザプリンタ名、ＩＰアドレス、プリンタ性能等を表示させる構成としているが、これに限られるものではなく、図１５（ａ）〜図１５（ｃ）にそれぞれ示すようにプリンタ名とカラー、モノクロの区別、プリンタ名とＩＰアドレスのみの表示、プリンタ名とカラー、モノクロの区別、処理速度等の性能表示をさせる構成であっても良い。
【００５６】
このBluetooth(R)検索処理では、Bluetooth(R)回路２０９、３０９が、主として無線ブロードキャスト手段と無線応答手段としての役割を果たすことになる。
【００５７】
このBluetooth(R)検索処理を用いると、多数のＰＴＰ−ＩＰ対応プリンタ１２がローカルエリアネットワーク１３に接続されている場合でも、自己が携帯するデジタルカメラ１１を中心として１０ｍ四方に存在する比較的少数のＰＴＰ−ＩＰ対応プリンタ１２のＩＰアドレスのみを取得でき、ＰＴＰ−ＩＰ対応のプリンタ１２の選択が容易となるという効果を奏する。
（ＩｒＤＡ使用によるＰＴＰ−ＩＰ対応プリンタの検索処理）
ＩｒＤＡ使用の検索処理を選択して、図８に示すように、デジタルカメラ１１のＩｒＤＡ回路２１０と特定のプリンタ１２のＩｒＤＡ回路３１０とを近づけると、赤外線送受信が図１６に示すように確立される。
【００５８】
ついで、デジタルカメラ１１は特定のプリンタ１２に向けてプリンタネットワークＩＰアドレス要求を送信する。そのプリンタ１２はこれに応答してデジタルカメラ１１に向けてそのプリンタＩＰアドレスを送信する。
【００５９】
デジタルカメラ１１はＩＰアドレスを取得すると、プリンタ名要求を送信し、プリンタ１２はこれに応答してプリンタ名を送信する。デジタルカメラ１１は、プリンタ名を取得すると、プリンタ機能、プリンタ性能要求を送信し、デジタルカメラ１１はこれらの取得を完了すると、赤外線通信処理を切断する。
【００６０】
そのプリンタ１２の名称、ＩＰアドレス、性能等は既述したのと同様に、ＬＣＤモニタ１１Ａに表示される。
【００６１】
このＩｒＤＡ使用の検索処理を用いると、特定の相手先との間で通信を確立して、情報量の小さい、ＩＰアドレス、プリンタ名、プリンタ性能等を迅速に取得できるという効果を奏する。
【００６２】
このＩｒＤＡ検索処理では、ＩｒＤＡ回路２１０、３１０が主として無線ブロードキャスト手段と無線応答手段として機能する。
（実施例２）
この実施例２では、ローカルエリアネットワーク１３に接続されている複数個のＰＴＰ−ＩＰ対応のプリンタ１２と各プリンタ１２のＩＰアドレスが登録されかつローカルエリアネットワーク１３に接続されているサーバ１４とこの各プリンタ１２に向けて撮影画像データを転送するＰＴＰ−ＩＰ対応のデジタルカメラ１１とからなっている。
【００６３】
デジタルカメラ１１はサーバ１４のＩＰアドレスを登録する登録手段とサーバ１４に向けてプリンタ１２のＩＰアドレスを要求する無線送信手段とを備えている。サーバ１４はデジタルカメラ１１の要求に応答してプリンタ１２のＩＰアドレスをデジタルカメラ１１に無線送信する無線送信手段を備えている。
【００６４】
デジタルカメラ１１は、更にプリンタ１２の応答を受信してＩＰアドレスを取得するＩＰアドレス取得手段と、このＩＰアドレス取得手段により取得されたＩＰアドレスに対応するプリンタ１２を表示するＬＣＤモニタ１１Ａと、ＬＣＤモニタ１１Ａにより表示されているプリンタ１２を選択することにより選択されたプリンタ１２に向けてＵＤＰユニキャストパケットデータを無線送信する無線送信手段とを備えている。
【００６５】
プリンタ１２はＵＤＰユニキャストパケットデータを受信して接続開始要求をデジタルカメラ１１に向けて無線送信する接続開始要求無線送信手段と、この接続開始要求に対するデジタルカメラ１１からの応答に基づいて無線接続を確立する無線接続確立手段とを備えている。
【００６６】
サーバ１４のＩＰアドレスの登録は、例えば、セットアップメニュー画面で手動入力により予めすることができる。サーバ１４が単一である場合には、デジタルカメラ１１からサーバ１４にＵＤＰユニキャストパケットデータを送信して各プリンタ１２のＩＰアドレスを取得する構成としても良い。
【００６７】
サーバ１４が複数個の場合には、デジタルカメラ１１からローカルエリアネットワーク１３にブロードキャストして各サーバ１４のＩＰアドレスを取得し、特定のサーバ１４にＵＤＰユニキャストパケットデータを送信して、その特定のサーバ１４に登録保存されている各プリンタ１２のＩＰアドレスを取得する構成としても良い。
【図面の簡単な説明】
【００６８】
【図１】従来の無線ＬＡＮを用いた画像転送システムのダイレクトプリントアウトの概念を説明するための概念図である。
【図２】従来のデジタルカメラとプリンタとの間での無線通信の確立を説明するための説明図である。
【図３】従来の画像転送システムの不具合を説明するための図である。
【図４】本発明に係わる画像転送システムのローカルエリアネットワークの一例を示す概念図である。
【図５】本発明に係わるデジタルカメラの主要構成を示すブロック回路図である。
【図６】本発明に係わるプリンタの主要構成を示すブロック回路図である。
【図７】本発明に係わるBluetooth(R)回路の概念を説明する図である。
【図８】本発明に係わるＩｒＤＡ回路の概念を説明する図である。
【図９】本発明に係わる通信規約の層構成の説明図である。
【図１０】本発明に係わる画像転送システムの概要を説明するためのフローチャートである。
【図１１Ａ】本発明に係わるデジタルカメラの表示モニタに表示された検索画面の一例を示す説明図である。
【図１１Ｂ】本発明に係わる画像転送システムの検索処理の一例を説明するためのフローチャートである。
【図１２】本発明に係わるデジタルカメラの表示モニタに表示されたプリンタの一例を示す説明図である。
【図１３】本発明に係わるＵＰｎＰ検索処理を用いて通信を確立するための一例を示す通信概念図である。
【図１４】本発明に係わるBluetooth(R)検索処理を用いて通信を確立するための一例を示すフローチャートである。
【図１５】本発明に係わるデジタルカメラの表示モニタに表示されたプリンタの他の例を示す説明図であり、（ａ）はレーザプリンタの名称とカラー印刷性能とが表示された状態を示し、（ｂ）はレーザプリンタの名称とＩＰアドレスとが表示された状態を示し、（ｃ）はレーザプリンタの名称と印刷処理スピードとカラー印刷性能とが表示された状態を示す。
【図１６】本発明に係わるBluetooth(R)検索処理を用いて通信を確立するための一例を示す通信概念図である。
【図１７】本発明に係わるサーバを用いて通信を行う場合の概念図である。
【符号の説明】
【００６９】
１１…デジタルカメラ
１２…プリンタ
１３…ローカリエリアネットワーク
【図１】
2007049271.tif 000003
【図２】
2007049271.tif 000004
【図３】
2007049271.tif 000005
【図４】
2007049271.tif 000006
【図５】
2007049271.tif 000007
【図６】
2007049271.tif 000008
【図７】
2007049271.tif 000009
【図８】
2007049271.tif 000010
【図９】
2007049271.tif 000011
【図１０】
2007049271.tif 000012
【図１１Ａ】
2007049271.tif 000013
【図１１Ｂ】
2007049271.tif 000014
【図１２】
2007049271.tif 000015
【図１３】
2007049271.tif 000016
【図１４】
2007049271.tif 000017
【図１５】
2007049271.tif 000018
【図１６】
2007049271.tif 000019
【図１７】
2007049271.tif 000020